(57)【要約】      （修正有）【課題】乳房への肌触りが良く、母乳の吸収量と保持能力が高く、位置がずれ難く、位置ずれの許容範囲が広く、省資源とごみ減量になる母乳吸収パッドを提供する。【解決手段】乳房とブラジャー又は衣服の間に挟む母乳吸収パッドにおいて、吸収パッドとこれに被せる布カバーからなる。吸収パッドは、パルプ又はパルプと高吸収性ポリマーの吸収材２を、母乳が通過する内側シート３と、母乳が通過しない外側シート４で挟んで包んだ。布カバーは、乳房に接触する内側部分１２で吸収パッドの内側面の全面を覆い、その内側部分を母乳が通過する織物又は編物の布にし、外側部分１３で吸収パッドの外側面の周辺部を覆った。布カバーの外側部分で覆われない吸収パッドの外側面の中心部に、ブラジャーや衣服に留める接着部５を設けた。使用後に布カバーは吸収パッドから取り外し洗濯して再使用し、接着部付きの吸収パッドは使い捨てにする構成にした。【選択図】図２
0003149879.tif 000002
【実用新案登録請求の範囲】
【請求項１】
産婦の乳房とブラジャー又は衣服の間に挟む母乳吸収パッドにおいて、
吸収パッドとこれに被せる布カバーからなり、
吸収パッドは、パルプ又はパルプと高吸収性ポリマーを吸収材にし、この吸収材を、母乳が通過する透液性の内側シートと、母乳が通過しない不透液性の外側シートで挟んで包み、
布カバーは、乳房に接触する内側部分で吸収パッドの内側面の全面を覆い、その内側部分を、母乳が通過する透液性の織物又は編物の布にし、外側部分で吸収パッドの外側面の周辺部を覆い、
布カバーの外側部分で覆われない吸収パッドの外側面の中心部に、ブラジャーや衣服に留める接着部を設け、
布カバーは吸収パッドから取り外し洗濯して再使用し、接着部付きの吸収パッドは使い捨てにする構成にしたことを特徴とする母乳吸収パッド。
【請求項２】
布カバーの外側部分は、母乳が通過する透液性にしたことを特徴とする請求項１に記載の母乳吸収パッド。
【請求項３】
布カバーの外側部分は、母乳が通過しない不透液性にしたことを特徴とする請求項１に記載の母乳吸収パッド。
【考案の詳細な説明】
【技術分野】
【０００１】
本考案は、産婦の乳房とブラジャー又は衣服の間に挟む母乳吸収パッドに関する。
【背景技術】
【０００２】
この種の母乳吸収パッドは、使い捨てる紙製のパッドと、洗濯して再使用する布製のパッドがある。
〔紙製のパッド〕
紙製の母乳吸収パッドは、母乳を吸収する吸収材にパルプを主に用いている。吸収材は、母乳が通過する透液性の内側シートと、母乳が通過しない不透液性の外側シートとで挟んで包んでいる。
吸収材は、粉砕パルプ又は粉砕パルプと高吸収性ポリマー（ＳＡＰ）の粉末を板状に成形している。内側シートは、化学繊維や天然繊維の透液性の不織布である。この内側シートは、乳房に接触して被さる。外側シートは、不透液性の合成樹脂フイルムである。この外側シートは、ブラジャーに重なる。ブラジャーを着用しないときには、衣服に重なる。外側シートは、ブラジャーや衣服に留める接着部を設けている。
【０００３】
〔布製のパッド〕
布製の母乳吸収パッドは、母乳を吸収する吸収材に布を用いている。吸収材は、パイル地のような吸液性の布の積層体であり、母乳が通過しない不透液性の布ホルダーに入れている。
不透液性の布ホルダーは、布積層体の外側面の全面を覆い、布積層体の内側面の周辺部を覆っている。布積層体の内側面は、中心部が露出している。乳房には、布ホルダーの内側面の周辺部と布積層体の内側面の中心部が重なる。乳房の乳首には、布積層体の内側面の中心部が被さる。ブラジャー又は衣服には、布ホルダーの外側面が重なる。
【先行技術文献】
【特許文献】
【０００４】
【特許文献１】特開２００８−１７４８５１号公報
【考案の概要】
【考案が解決しようとする課題】
【０００５】
［課  題］
〔布製のパッド〕
布製の母乳吸収パッドは、織布が乳房に接触するので、皮膚への刺激が少なく、肌触りが良い。また、洗濯して再使用するので、省資源とごみ減量になる。
ところが、布製の母乳吸収パッドは、母乳の吸収量が少ない。また、母乳の保持能力が低く、吸収した母乳が漏れ出し易い。
更に、ブラジャーや衣服に留めて置く接着部がないので、位置がずれ易い。その上、乳房に接する内側面は、中心部のみが吸液性であるので、乳房の乳首が接する位置が中心部に限定される。位置ずれの許容範囲が狭い。その結果、乳首が接する位置が内側面の吸液性中心部から外れ易い。ブラジャーや衣服が母乳で汚れることが多い。
布製の母乳吸収パッドは、ブラジャーや衣服に接着する接着部を設けても、再使用するために洗濯すると、接着部は、接着力を失う。
【０００６】
〔紙製のパッド〕
紙製の母乳吸収パッドは、母乳の吸収量が多い。母乳の保持能力が高く、吸収した母乳が漏れ出し難い。また、ブラジャーや衣服に留めて置く接着部があるので、位置がずれ難い。その上、乳房に接する内側面は、全面が吸液性であるので、位置ずれの許容範囲が広い。ブラジャーや衣服が母乳で汚れることが少ない。
ところが、紙製の母乳吸収パッドは、透液性の内側シート、透液性の不織布の不規則凹凸面が乳房に接触するので、ちくちくする触感があり、肌触りが悪い。
また、使い捨てであり、新品を一度使用する毎に捨てるので、省資源とごみ減量に反している。
【０００７】
［着  想］
布製パッドと紙製パッドの長所を生かし、各パッドの短所を改めることを考察した。
乳房に接触する内側面は、肌触りが良い透液性の織物又は編物の布にする。母乳を吸収する吸収材は、母乳の吸収量が多くて保持能力が高いパルプを主材にする。ブラジャー又は衣服に重なる外側面には、ブラジャーや衣服に留める接着部を設ける。
そして、パルプを主材にする吸収材とブラジャーや衣服に接着する接着部を含む部分は、使い捨てにする。肌触りが良い透液性の内側面を構成する織物又は編物の布を含む部分は、洗濯して再使用する。使い捨てにする部分と、再使用する部分との２部構成にする。
【０００８】
具体的には、吸収材は、パルプ又はパルプと高吸収性ポリマーを用いる。この吸収材は、母乳が通過する透液性の内側シートと、母乳が通過しない不透液性の外側シートで挟んで包み、吸収パッドにする。この吸収パッドには、布カバーを被せる。
布カバーは、内側部分で吸収パッドの内側面の全面を覆う。その内側部分は、母乳が通過する透液性の織物又は編物の布にする。また、外側部分で吸収パッドの外側面の周辺部を覆う。吸収パッドの外側面の中心部は、覆わない。
その吸収パッドの外側面の中心部には、ブラジャーや衣服に留める接着部を設ける。
そして、使用後、布カバーは、吸収パッドから取り外し、洗濯して再使用する。接着部付きの吸収パッドは、使い捨てにする。
【課題を解決するための手段】
【０００９】
１）産婦の乳房とブラジャー又は衣服の間に挟む母乳吸収パッドにおいて、
吸収パッドとこれに被せる布カバーからなり、
吸収パッドは、パルプ又はパルプと高吸収性ポリマーを吸収材にし、この吸収材を、母乳が通過する透液性の内側シートと、母乳が通過しない不透液性の外側シートで挟んで包み、
布カバーは、乳房に接触する内側部分で吸収パッドの内側面の全面を覆い、その内側部分を、母乳が通過する透液性の織物又は編物の布にし、外側部分で吸収パッドの外側面の周辺部を覆い、
布カバーの外側部分で覆われない吸収パッドの外側面の中心部に、ブラジャーや衣服に留める接着部を設け、
布カバーは吸収パッドから取り外し洗濯して再使用し、接着部付きの吸収パッドは使い捨てにする構成にしたことを特徴とする。
２）上記の母乳吸収パッドにおいて、
布カバーの外側部分は、母乳が通過する透液性にしたことを特徴とする。
３）上記１）の母乳吸収パッドにおいて、
布カバーの外側部分は、母乳が通過しない不透液性にしたことを特徴とする。
【考案の効果】
【００１０】
布カバーの織物又は編物の布が乳房に接触する。皮膚への刺激が少なく、肌触りが良い。
吸収パッドの吸収材、パルプ又はパルプと高吸収性ポリマーが母乳を吸収する。母乳の吸収量が多い。母乳の保持能力が高く、吸収した母乳が漏れ出し難い。
吸収パッドの接着部がブラジャー又は衣服に接着する。吸収パッドは、接着部でブラジャーや衣服に留めて置くことができる。位置がずれ難い。その上、吸収パッドの内側面は、中心部も周辺部も、母乳を吸収する。吸収パッドの位置ずれの許容範囲が広い。ブラジャーや衣服が母乳で汚れることが少ない。
布カバーは、洗濯して再使用する。省資源とごみ減量になる。接着部付きの吸収パッドは、使い捨てる。
接着部は、洗濯する布カバーではなく、使い捨てる吸収パッドに設けている。洗濯によって接着力を失うということはない。
【図面の簡単な説明】
【００１１】
【図１】本考案の実施形態における母乳吸収パッドの外側面を示す背面図。
【図２】図１のＡ−Ａ線端面図。
【図３】同母乳吸収パッドの内側面を示す正面図。
【図４】同母乳吸収パッドの吸収パッドの外側面を示す背面図。
【図５】図４のＢ−Ｂ線断面図。
【図６】同母乳吸収パッドの布カバーの外側面を示す背面図。
【図７】図６のＣ−Ｃ線端面図。
【図８】図６のＣ−Ｃ線断面図。
【考案を実施するための形態】
【００１２】
図１〜図３に示す母乳吸収パッドは、図４と図５に示す吸収パッド１と、図６〜図８に示す布カバー１１との２部分から構成している。吸収パッド１には、布カバー１１を被せている。
【００１３】
吸収パッド１は、粉砕パルプに高吸収性ポリマーの粉末を混入してこれを吸収材２にしている。吸収材２は、ほぼ円形状の板状に成形している。このパッド形状の吸収材２は、これより一回り大きい内側シート３と外側シート４で挟み、両シート３、４の周辺部を重ねて接合している。吸収材２は、透液性の内側シート３と不透液性の外側シート４からなる袋に包まれて封入されている。
【００１４】
内側シート３は、化学繊維や天然繊維の親水性の不織布にし、母乳が通過する透液性にしている。不織布の繊維の種類には、レーヨン、ポリエチレン、ポリプロピレン、ポリエステルやコットンが例示される。外側シート４は、防液シートであり、合成樹脂フイルムにし、母乳が通過しない不透液性にしている。合成樹脂フイルムの種類には、ポリエチレン、ポリプロピレンやポリエステルが例示される。
【００１５】
吸収パッド２の外側面、外側シート４は、中心部に、ブラジャーや衣服に留める接着部５を設けている。接着部５は、複数の並列するテープ状にし、感圧性の接着剤の層にしている。
【００１６】
布カバー１１は、ほぼ円形状の内側布１２とほぼ円輪形状の外側布１３を同心状に重ね、両布１２、１３の外周縁を縫い糸で縫い合わせている。内側布１２と外側布１３は、裏返し、外周縁の縫合部を内側に配置している。内側布１２と外側布１３は、外径を吸収パッド１より一回り大きくしている。外側布１３は、内径を吸収パッド１の外側面の接着部５のある部分、中心部より一回り大きくしている。
【００１７】
内側布１２は、吸収パッド１の内側面、内側シート３の全面を覆い、布カバー１１の内側部分を構成している。母乳吸収パッドの着用時には、布カバー１１の内側部分、内側布１２が産婦の乳房に接触して被さる。
【００１８】
この内側布１２は、化学繊維糸や天然繊維糸の親水性の織物又は編物の布にし、母乳が通過する透液性にしている。織物の種類には、平織り、綾織り、朱子織りやパイル織りが例示される。編物の種類には、メリヤス編みやトリコット編みが例示される。糸の種類には、綿糸、レーヨン糸、ポリエステル糸やポリウレタン糸が例示される。
【００１９】
外側布１３は、吸収パッド１の外側面、外側シート４の周辺部を覆い、布カバー１１の外側部分を構成している。吸収パッド１の外側面、外側シート４の中心部、接着部５のある部分は、布カバー１１の外側部分で覆われず、露出している。母乳吸収パッドの着用時には、布カバー１１の外側部分、外側布１３と吸収パッド１の外側面、外側シート４の中心部が産婦のブラジャーに重なる。ブラジャーを着用しないときには、衣服に重なる。
【００２０】
この外側布１３は、内側布１２と同一の織物又は編物の布にしている。布カバー１１の製作が容易になる。又は、化学繊維糸や天然繊維糸の疎水性の織物又は編物の布にし、母乳が通過しない不透液性にしている。吸収パッド２に吸収された母乳がブラジャー又は衣服側に漏れ出るのを防ぐ効果が高くなる。
【００２１】
この母乳吸収パッドの着用時には、母乳吸収パッドの外側面をブラジャー又は衣服の内側面に重ね、母乳吸収パッドの接着部５をブラジャー又は衣服の内側面に接着して、母乳吸収パッドをブラジャー又は衣服に留める。母乳吸収パッドの内側面は、乳房に接触して重ねる。母乳吸収パッドは、産婦の乳房とブラジャー又は衣服の間に挟む。乳房の乳首から漏れ出る母乳は、布カバー１１の透液性内側布１２を通り、吸収パッド１に吸収される。
【００２２】
母乳吸収パッドが多量の母乳を吸収したときは、母乳吸収パッドの接着部５をブラジャー又は衣服から剥ぎ取り、母乳吸収パッドを乳房とブラジャー又は衣服の間から取り出す。そして、使用済みの母乳吸収パッドは、吸収パッド１から布カバー１１を取り外す。母乳を含んだ吸収パッド１は、ごみとして捨てる。母乳で汚れた布カバー１１は、洗濯して乾燥し、再び使用する。
【符号の説明】
【００２３】
１  吸収パッド
２  吸収材、高吸収性ポリマーの粉末を混入した粉砕パルプ
３  透液性の内側シート、親水性の不織布
４  不透液性の外側シート、防液シート、合成樹脂フイルム
５  接着部
１１  布カバー
１２  透液性の内側布、布カバーの内側部分、織物又は編物の布
１３  透液性又は不透液性の外側布、布カバーの外側部分、織物又は編物の布
【図１】
0003149879.tif 000003
【図２】
0003149879.tif 000004
【図３】
0003149879.tif 000005
【図４】
0003149879.tif 000006
【図５】
0003149879.tif 000007
【図６】
0003149879.tif 000008
【図７】
0003149879.tif 000009
【図８】
0003149879.tif 000010